(57)【要約】  本発明によれば、無線通信システムにおける干渉を低減するための方法が提案され、その方法では、ユーザ端末（ＭＳ）は、時空間処理技術を用いて少なくとも２つの信号ストリーム（ストリーム１、ストリーム２）を受信するための少なくとも２つのアンテナを備え、少なくとも２つの信号ストリーム（ストリーム１、ストリーム２）は、少なくとも２つの基地局（ＢＳ１、ＢＳ２）の少なくとも２つの送信アンテナから受信され、さらに少なくとも２つの信号ストリーム（ストリーム１、ストリーム２）は、直交系列によって区別される。【選択図】図２
2008543141.tif 000002
【特許請求の範囲】
【請求項１】
無線通信システムにおける干渉を低減するための方法であって、
ユーザ端末（ＭＳ）は、時空間処理技術を用いて少なくとも２つの信号ストリーム（ストリーム１、ストリーム２）を受信するための少なくとも２つのアンテナを備え、
前記少なくとも２つの信号ストリーム（ストリーム１、ストリーム２）は、少なくとも２つの基地局（ＢＳ１、ＢＳ２）の少なくとも２つの送信アンテナから受信され、さらに
前記少なくとも２つの信号ストリーム（ストリーム１、ストリーム２）は、直交系列によって区別される、方法。
【請求項２】
前記少なくとも２つの信号ストリーム（ストリーム１、ストリーム２）を送信する前記少なくとも２つの基地局（ＢＳ１、ＢＳ２）は、同期化されている、請求項１に記載の方法。
【請求項３】
前記直交系列は、前記信号ストリーム（ストリーム１、ストリーム２）に加えられる、請求項１または請求項２に記載の方法。
【請求項４】
前記空間多重方式は、前記少なくとも２つの基地局の第１の局から前記少なくとも２つの基地局の第２の局へのセル間ハンドオーバに用いられる、先行する請求項のいずれかに記載の方法。
【請求項５】
前記少なくとも２つの信号ストリーム（ストリーム１、ストリーム２）は、少なくとも１つの同じ周波数帯を用いて送信される、先行する請求項のいずれかに記載の方法。
【請求項６】
前記直交系列は、少なくとも、前記ユーザ端末（ＭＳ）におけるチャネル推定に用いられる、先行する請求項のいずれかに記載の方法。
【請求項７】
前記直交系列は、パイロットシンボルである、先行する請求項のいずれかに記載の方法。
【請求項８】
無線通信システムの端末であって、
少なくとも２つのアンテナと、
空間多重方式を用いて少なくとも２つの信号ストリーム（ストリーム１、ストリーム２）を受信するための手段とを含み、前記少なくとも２つの信号ストリーム（ストリーム１、ストリーム２）は、少なくとも２つの基地局（ＢＳ１、ＢＳ２）の少なくとも２つの送信アンテナから受信され、さらに前記少なくとも２つの信号ストリーム（ストリーム１、ストリーム２）は、直交系列によって区別される、端末。
【請求項９】
無線通信システムの端末のための受信機であって、
少なくとも２つの基地局（ＢＳ１、ＢＳ２）の少なくとも２つの送信アンテナから受信される少なくとも２つの信号ストリーム（ストリーム１、ストリーム２）を処理するための手段を含み、前記少なくとも２つの信号ストリーム（ストリーム１、ストリーム２）は、直交系列によって区別される、受信機。
【請求項１０】
前記処理は、複数の受信されたシンボルにわたって実行される、請求項９に記載の受信機。
【発明の詳細な説明】
【技術分野】
【０００１】
本発明は、無線局および端末のための受信機を含む無線通信システムにおける干渉を低減するための方法およびコンポーネントに関する。
【背景技術】
【０００２】
３ＧＰＰ（第３世代移動体通信システム標準化プロジェクト）によって標準化されたＵＭＴＳ（ユニバーサル・モバイル・テレコミュニケーション・システム）のなどの無線通信システムにおいて、音声、映像データなどの情報は、システムの基地局と移動または固定のユーザ端末との間のエアーインタフェースを介して送信される。
【０００３】
また、ＵＭＴＳ標準化の枠組みにおいても、ダウンリンクにおける高データ伝送速度のパケットデータ送信のための新しいチャネルとして、いわゆるハイスピード・ダウンリンク・パケット・アクセス（ＨＳＤＰＡ）が標準化されている。これについては、技術仕様書３ＧＰＰ  ＴＳ  ２５．３０８  Ｖ６．３．０（２００４−１２）「ハイスピード・ダウンリンク・パケット・アクセス（ＨＳＤＰＡ）；全体説明；ステージ２（第６版）（Ｈｉｇｈ  Ｓｐｅｅｄ  Ｄｏｗｎｌｉｎｋ  Ｐａｃｋｅｔ  Ａｃｃｅｓｓ（ＨＳＤＰＡ）；Ｏｖｅａｌｌ  ｄｅｓｃｒｉｐｔｉｏｎ；Ｓｔａｇｅ  ２（Ｒｅｌｅａｓｅ  ６））」を参照できる。
【０００４】
上述のＵＭＴＳ規格に基づいたシステムのように周波数再利用係数が１である携帯電話無線通信システムにおいては、同一の周波数帯を用いる隣接するセル間での干渉によってダウンリンクの検出のパフォーマンスが制限される。したがって、システムの全体的な容量は、セル間のおよびセル内の干渉によって制限される。
【０００５】
このようなセル間の干渉を除去する１つの可能なアプローチとして、異なる基地局から送信される前の信号に、調整された前処理を適用することがある。この前処理技術は、ジョイント送信としても知られている。この方法では、１つの基地局から受信される信号を最大化することが可能で、同時に隣接する第２の基地局からの信号に起因する干渉が低減される。とは言っても、ジョイント送信技術の実施のためには、送信器が即時のチャネル状態情報を利用できなければならない。ＵＭＴＳ  Ｗ−ＣＤＭＡシステムでは、周波数分割複信（ＦＤＤ）が適用され、すなわち、アップリンク送信とダウンリンク送信とで異なる周波数帯が用いられ、その結果アップリンクとダウンリンクとのチャネル特性が異なるので、このような即時の情報を得ることは容易ではない。さらに、一緒に処理されたデータ信号を共通の処理ユニットから離れた各基地局に送信する必要が生じ、高い信号伝達負荷はもとより、基地局間への光ファイバまたはマイクロウェーブのリンクの追加展開の大きなコストが生じることになる。
【０００６】
ＵＭＴＳ  ＷＣＤＭＡシステムでよく用いられる第２の方法は、システム固有の処理利得による望ましくないセル間干渉の抑制であり、これはどんな種類の干渉に対してもより堅牢なシステムを提供する。しかしながら、ＨＳＤＰＡの特徴として、ユーザには、ある周波数帯の多くのまたは時として全部の利用可能な符号が割り当てられることがあり、送信器のパワーが、これらの符号に分配され、処理利得が、使用される符号の数に比例して再び低減されてしまうので、その結果として、システムのセル間干渉に対する堅牢さは低下する。
【０００７】
【非特許文献１】ジャック・ザルツ（Ｊａｃｋ  Ｓａｌｚ）の「クロスカップル型線形チャネルを介したデジタル送信（Ｄｉｇｉｔａｌ  Ｔｒａｎｓｍｉｓｓｉｏｎ  ｏｖｅｒ  ｃｒｏｓｓ−ｃｏｕｐｌｅｄ  ｌｉｎｅｒ  ｃｈａｎｎｅｌｓ）」、ＡＴ＆Ｔ  Ｔｅｃｈ．Ｊ．、１９８５年７月／８月、第６４巻、第６号、ｐ．１１４７−１１５９
【非特許文献２】Ｖ．ユングニッケル（Ｊｕｎｇｎｉｃｋｅｌ）、Ｙ．Ｓ．チャン（Ｃｈａｎｇ）およびＶ．ポール（Ｐｏｈｌ）の「ＷＣＤＭＡシステムにおけるＭＩＭＯ  ＲＡＫＥ受信機のパフォーマンス（Ｐｅｒｆｏｒｍａｎｃｅ  ｏｆ  ＭＩＭＯ  ＲＡＫＥ  ｒｅｃｅｉｖｅｒｓ  ｉｎ  ＷＣＤＭＡ  ｓｙｓｔｅｍｓ）」、Ｐｒｏｃ．ＩＥＥＥ  ＷＣＮＣ、２００４年、ジョージア州アトランタ（ＣＤ−ＲＯＭ収納）
【非特許文献３】Ｃ．Ｂ．パパジアス（Ｐａｐａｄｉａｓ）、Ｈ．ファン（Ｈｕａｎｇ）の「マルチパスＣＤＭＡチャネルのための線形時空間マルチユーザ検出（Ｌｉｎｅａｒ  ｓｐａｃｅ−ｔｉｍｅ  ｍｕｌｔｉｕｓｅｒ  ｄｅｔｅｃｔｉｏｎ  ｆｏｒ  ｍｕｌｔｉｐａｔｈ  ＣＤＭＡ  ｃｈａｎｎｅｌｓ）」、ＩＥＥＥ  Ｊｏｕｒｎ．Ｓｅｌｅｃｅｄ  Ａｒｅａｓ  Ｃｏｍｍ．、２００１年、第１９巻、第２号、ｐ．２５４−２６５
【非特許文献４】Ｈ．ファン（Ｈａｕｎｇ）、Ｈ．フィスワナサン（Ｖｉｓｗａｎａｔｈａｎ）、Ｇ．Ｊ．フォッシーニ（Ｆｏｓｃｈｉｎｉ）の「セルラＣＤＭＡシステムにおける多重アンテナ：送信、検出、およびスペクトル効率（Ｍｕｌｔｉｐｌｅ  ａｎｔｅｎｎａｓ  ｉｎ  ｃｅｌｌｕｌａｒ  ＣＤＭＡ  ｓｙｓｔｅｍｓ：Ｔｒａｎｓｍｉｓｓｉｏｎ，ｄｅｔｅｃｔｉｏｎ，ａｎｄ  ｓｐｅｃｔｒａｌ  ｅｆｆｉｃｉｅｎｃｙ）」、ＩＥＥＥ  Ｔｒａｎｓ．Ｗｉｒｅｌｅｓｓ  Ｃｏｍｍ．、２００２年７月、第１巻、第３号、ｐ．３８３−３９２
【発明の開示】
【発明が解決しようとする課題】
【０００８】
本発明の目的は、無線通信システムの受信機における干渉を低減するメカニズムおよび手段を提供することである。この目的は、独立請求項の進歩性のある特徴によって解決される。さらに有利な特徴が、従属請求項によって与えられる。
【課題を解決するための手段】
【０００９】
本発明によれば、無線通信システムにおける干渉を低減するための方法が提案され、その方法では、ユーザ端末は、時空間処理技術を用いて少なくとも２つの信号ストリームを受信するための少なくとも２つのアンテナを備え、少なくとも２つの信号ストリームは、少なくとも２つの基地局の少なくとも２つの送信アンテナから受信され、さらに少なくとも２つの信号ストリームは、直交系列によって区別される。
【００１０】
本発明の態様によれば、少なくとも２つの信号ストリームを送信する少なくとも２つの基地局は、同期化されている。
【００１１】
本発明のさらなる態様によれば、直交系列は、信号ストリームに加えられる。
【００１２】
本発明の別の態様によれば、空間多重方式は、少なくとも２つの基地局の第１の局から少なくとも２つの基地局の第２の局へのセル間ハンドオーバに用いられる。
【００１３】
本発明のさらなる態様によれば、少なくとも２つの信号ストリームは、少なくとも１つの同じ周波数帯を用いて送信される。
【００１４】
本発明の別の態様によれば、直交系列は、少なくとも、ユーザ端末におけるチャネル推定に用いられる。
【００１５】
本発明のさらなる態様によれば、直交系列は、パイロットシンボルである。
【００１６】
また、本発明は、少なくとも２つのアンテナと、空間多重方式を用いて少なくとも２つの信号ストリームを受信するための手段とを含む無線通信システムを対象とし、少なくとも２つの信号ストリームは、少なくとも２つの基地局の少なくとも２つの送信アンテナから受信され、さらに少なくとも２つの信号ストリームは、直交系列によって区別される。
【００１７】
さらに、本発明は、少なくとも２つの基地局の少なくとも２つの送信アンテナから受信される少なくとも２つの信号ストリームを処理するための手段を含み、少なくとも２つの信号ストリームは、直交系列によって区別される、無線通信システムの端末のための受信機に関する。受信機のさらなる態様によれば、その処理は、複数の受信されたシンボルにわたって実行される。
【００１８】
以下に、本発明の概念が図１〜図８を参照して説明され、これらの図としては、
図１は、２つの基地局と１つのユーザ端末とを備えたシステム構成を示し、
図２は、無線ネットワークコントローラに接続された２つの基地局と１つのユーザ端末とを備えたシステム構成を示し、ユーザ端末は、２つのアンテナを含み、
図３は、１つの基地局と１つのユーザ端末とを備えたシステム構成を示し、
図４は、それぞれが少なくとも２つのアンテナを含む２つの基地局と１つのユーザ端末とを備えたシステム構成を示し、
図５は、マルチ符号時空間ＲＡＫＥとして構成された例示的な２段式ＭＩＭＯレイク受信機の第１段を示し、
図６は、マルチストリーム・ウィナーフィルタを含む例示的なＭＩＭＯレイク受信機の第２段を示し、
図７は、符号の数に依存する増強された干渉除去を有するＭＩＭＯレイクの性能解析を示し、
図８は、各種の干渉除去技術と可能なＷＣＤＭＡダウンリンク容量利得におけるそれらの影響との比較を示す。
【発明を実施するための最良の形態】
【００１９】
図１には、１つの移動端末ＭＳ（移動局）が２つの隣接する基地局ＢＳ１、ＢＳ２から信号を受信する地域に位置している標準的な状況が示されている。このような状況において、第１の基地局ＢＳ１によって送信される信号が移動端末ＭＳに専用される信号である場合、第２の基地局ＢＳ２から移動端末ＭＳで受信される信号は、第１の基地局ＢＳ１から受信される信号に干渉し、いわゆるセル間干渉が生じる。
【００２０】
本発明によれば、図２に示されるように、移動端末ＭＳは少なくとも２つの受信アンテナを用い、これらは当然ながら送信にも用いられる。さらに、図２の２つの隣接する基地局ＢＳ１、ＢＳ２は、相互に同期化されている。同期運転は、２つの基地局における位相固定の局部発信器を用いて、すなわち、物理的に離れた基地局の発信器を、標準的な電話線、特定の有線または無線接続を介して配信される共通の低周波基準信号に固定することによって、実現することができる。基地局を同期化するいくつかの方法が技術的に知られている。当然ながら、２つの隣接するセルまたはセルのセクタが同一の基地局によってサービスを受けている場合、そのような同期化が問題となることはない。
【００２１】
移動端末ＭＳが２つの基地局からの信号を区別できるようにするために、基地局は、たとえばプリアンブル中の直交系列、特定のトレーニングまたはパイロット系列などの信号を頻繁に送信する。移動端末は、このような信号を受信することによって、各基地局の送信アンテナと端末の受信アンテナのそれぞれとの間の個々のチャネル係数を識別することができる。基地局の信号は、別々の伝播経路に起因して、複数の移動端末アンテナでランダムにオーバラップする。
【００２２】
それぞれの基地局とのチャネルの情報に基づいて、移動端末は、空間多重方式としても知られるいわゆる時空間処理技術を用いて、両方の基地局から受信される信号を分離することができる。これは、いわゆるＭＩＭＯ（マルチ入力マルチ出力）ＲＡＫＥ受信機によって実現することができる。たとえば、いわゆる最大尤度検出のような最新の検出技術を用いて、信号を完全に区別することができる。たとえばいわゆる最小平均２乗誤差推定器（ＭＭＳＥ）など複雑性の低い代替技術を用いれば、システムのパフォーマンスは低下するかもしれないが、それでも上述した現行のアプローチよりも良好なパフォーマンスが提供される。
【００２３】
これにより、同一のリソースが第２の基地局のセル内の別のユーザに割り当てられている場合、移動端末は、第２の基地局から受信された信号を干渉信号として識別することができる。
【００２４】
本発明の第２の態様によれば、図２にも開示されているように、無線通信システムの基地局コントローラＲＮＣ（無線ネットワークコントローラ）に達したデータストリームは、分割され、さらに２つの隣接する基地局ＢＳ１、ＢＳ２に転送される。本発明による上述のメカニズムにより、同一のリソースを用いている場合であっても、移動端末ＭＳは、２つの基地局ＢＳ１およびＢＳ２から、データストリーム１および２を並行して受信することが可能となる。このようにして、第２の基地局ＢＳ２から受信された信号は、もはや干渉信号ではなくなる。また、これらの基地局が同一の基地局コントローラに接続されていない場合でも、たとえば、移動交換局（ＭＳＣ）またはパケットデータゲートウェイ（ＳＧＳＮ、ＧＧＳＮ）などの無線通信システムのさらに上の階層の別のコンポーネントによって、移動端末に向けたデータストリームの分割を行うことができる。
【００２５】
本発明のさらなる態様によれば、空間多重方式を、たとえば、第１の基地局ＢＳ１から第２の基地局ＢＳ２へのまたは第１の基地局の第１のセル（またはセクタ）から別のセル（またはセクタ）へのセル間ハンドオーバを行うために、用いることができる。この場合、チャネル品質の低下によって基地局の１つへの接続が解除されるまで、２つのデータストリーム１および２は並行に維持される。
【００２６】
本発明の別の態様によれば、基地局は複数のアンテナも備えている。この場合、図３に示すように、第１の基地局ＢＳ１は、単一だが倍の容量を有するリンクによって、複数の並行したストリームの移動端末への送信をサポートすることができる。
【００２７】
移動端末ＭＳのユーザが第１の基地局ＢＳ１のセルの境界に近付いた状況では、セル間干渉の増大によって、そのような増強された容量を有する空間的に多重化されたリンクでももはや維持できなくなる。そのような状況において、移動端末ＭＳが第２の基地局ＢＳ２からのマルチセル干渉に陥った場合、図４に示すように、これらのストリームの１つが第１の基地局ＢＳ１から第２の基地局ＢＳ２にハンドオーバされる。移動端末ＭＳは、図２に開示されているように、ＭＩＭＯ−ＲＡＫＥ検出器の空間多重方式機能を用いて両方のストリームを検出する。
【００２８】
基地局ＢＳ１、ＢＳ２のそれぞれは、同じく複数のアンテナを用い、たとえば、いわゆる時空間符号化などの送信ダイバーシティ技術を用いて、その送信の全体範囲を改善することができる。このやり方で、信号がより弱くなり干渉がより強くなるセルの境界においても高いデータ転送速度をサポートすることができる。
【００２９】
このように、両方の基地局ＢＳ１およびＢＳ２からの信号ストリームは、移動端末ＭＳにおいて同時に検出される。今までのセル間干渉は、今や、第２の基地局ＢＳ２から移動端末への並行した第２のデータストリームを送信するために用いられることになる。したがって、移動端末が少なくとも２つの受信アンテナを用いていれば、セル間干渉は有用な信号に変換される。このように移動端末が１つのセルから隣のセルへ移動するとき、第１のストリームは徐々にスイッチオフされ、同時に第２のストリームは徐々にスイッチオンされる。このストリームの切り替えは、たとえば、狭帯域フィードバックチャネルを用い、これを介してストリームの個々のチャネル品質の測定結果を基地局のそれぞれにまたは現在サービスを受けている１つの基地局だけに報告することによって行うことができる。両方の基地局において、移動端末によって行われたチャネル品質測定結果に基づいて、送信パワー、変調および同時に割り当てられる符号の数が指定される。２つのダウンリンク・データストリームは、図２に示すように、無線ネットワークコントローラＲＮＣにおいて逆多重化され、無線ネットワークコントローラは、セル間ハンドオーバの間、２つのリンクを同時に維持している。提案の方法を用いて、同一の周波数および符号リソースをハンドオーバ手順に関わる両方のセルで用いることができる。
【００３０】
ＵＭＴＳのＨＳＤＰＡの特徴に対する上述の原理を用いるためには、マルチ符号ＷＣＤＭＡエアーインタフェースへの適応が必要となる。好都合に、２つの基地局からの信号ストリームがあるので、セル内干渉および空間干渉を一緒に低減することができる。ＷＣＤＭＡシステムにおけるセル内干渉は、符号がマルチパスチャネルを通過した後はもはや直交でないという事実、およびガードタイムがないことに起因する付加的なシンボル間干渉があるという事実から生じている。この目的に適した受信機の構造を以下に説明する。なお、この特定の受信機は、現在ＵＭＴＳ規格に規定されているように、ダウンリンク送信のためにより短いスクランブル系列を必要とする。
【００３１】
以下に、空間多重検出を実現するための受信機の構造についての提案をさらに詳細に説明する。
【００３２】
多重送信および多重受信アンテナを含めるためのＷＣＤＭＡシステムの拡張は、第３世代移動体通信システム標準化プロジェクト（３ＧＰＰ）で進展中であり、ここでは、移動無線システムにおけるリンクおよびシステム容量の増大のためにマルチ入力マルチ出力（ＭＩＭＯ）エアーインタフェースが規定される。この拡張の基本問題は、チャネルのマルチパス特性に起因する符号干渉およびシンボル間干渉（それぞれ、ＣＩおよびＩＳＩ）に加え、空間的に多重化されたデータストリームに起因する空間干渉（ＳＩ）に対処するために、簡素で効率的な受信機をどのように設計するかということである。ダウンリンク・アプリケーションでは、受信機が無線ハンドセットに配置されるため、複雑性は重要な問題となる。現在、チップレベルのイコライザ（ＣＬＥ）が好まれ、それは符号を逆拡散する前に干渉を除去する（非特許文献１）。しかし、このような時空間イコライザは相当に複雑で、代替案が期待されている。
【００３３】
ＲＡＫＥ受信機は、複雑性が高くない受信機として知られている。そこで、理想的条件でＳＩを除去するためのＭＩＭＯの拡張が研究された。しかしながら、このように拡張されたＲＡＫＥが、実際のＷＣＤＭＡ条件（ＯＶＳＦ符号、ガードタイムなし）の下で作動された場合、そのパフォーマンスは、上述のマルチパス効果に起因して大きく劣化する（非特許文献２）。そこで、実用アプリケーションでは、ＲＡＫＥ後の追加の干渉除去が必須となる。
【００３４】
この方向における第１のステップは、ＣＩを除去することである。単一の符号であっても、自己相関は完全でなく、ＣＩは上昇する（非特許文献２参照）。それは用いられる符号が多いほど強くなる、というのは、符号は、マルチパスチャネルを経た送信の後ではもはや直交でないからである。比較的長い系列、または、連続するシンボル間にガードタイムが取り入れられている場合のように、ＩＳＩを無視できる場合、干渉除去の構造はよく知られている。このとき、送信は、符号空間領域における同値のマトリックスベクトルのチャネルモデルで表現することができ、各シンボル期間に対して独立した決定が可能となる。たとえば、ＲＡＫＥ後、線形マルチユーザ検出器を用いて、すべての符号およびアンテナに対して干渉を一緒に除去することができる（非特許文献３）。追加の拡張ではソートされた一連の干渉除去が用いられ、これは周知のＶ−ＢＬＡＳＴアルゴリズムのＷＣＤＭＡバージョンである（非特許文献４参照）。
【００３５】
しかしながら、具体的なデータ・アプリケーションでは、より短い符号が望ましく、符号が短くなるほどＩＳＩは強くなる。高速ダウンリンク・パケット・アクセス（ＨＤＳＰＡ）において符号長さ１６を目標とした場合、少なくとも高いシステム負荷においては、ＣＩを除去してもＩＳＩによりパフォーマンスが制限される。
【００３６】
本発明の概念によれば、最尤系列推定器（ＭＬＳＥ）とＲＡＫＥとの間の密接な関係が、ＳＩ、ＣＩおよびＩＳＩを含むＲＡＫＥ後の受信信号に対する効果的なチャネルモデルを導出するために用いられる。一般に、ＲＡＫＥ出力はマルチパス性質を有すると想定される。
【００３７】
したがって、ＳＩ、ＣＩおよびＩＳＩを一緒に除去するためにＲＡＫＥ後にウィナーフィルタを用いることが提案される。この受信機のパフォーマンスが数値的に研究され、後の逆拡散を有するＣＬＥのものと同等であることが判明している。ＲＡＫＥの利点は、複雑性が、符号空間領域で用いられたリソースに、より直接的に対応していることである。また、スクランブルに関して、ＷＣＤＭＡダウンリンク規格における必要な変更も挙げられ、これにより強化された干渉除去の効率的な実施が可能となる。
【００３８】
2008543141.tif 000003
【００３９】
受信機の第２段が図６に示されている。インパルス応答が１つのＷＣＤＭＡシンボルよりも短い場合、１つ前の、現在のおよび次のシンボルによる３つのシンボル期間に対してウィナーフィルタを作動すれば十分である。
【００４０】
2008543141.tif 000004
【００４１】
仮想のリアルタイム実行において、各符号に対する重みマトリックスは、対応するメモリページに格納される。次に、専用のマトリックスベクトル乗算ユニットが用いられ、引き続き、現在の符号インデックスに対応する、メモリページからの複数のマトリックスが用いられる。なお、元のデータベクトルは、いくらかの有色ノイズも含めて、そのマトリックスベクトル乗算の後に回復される。これらの信号は、元のデータストリームを再構築するために、チャネルデコーダに送ることができる。
【００４２】
2008543141.tif 000005
【００４３】
2008543141.tif 000006
【００４４】
図８は、ビット誤り率と、３ｄＢ／符号のＳＮＲを有する符号の数との対比を示す。この図において、可能なＷＣＤＭＡダウンリンク容量利得は、他の干渉除去技術と対比されている（ＳＮＲは、符号の数に従って増大する）。
【００４５】
提案のＳＩ除去は、スクランブル技術と組み合わされ（非特許文献２参照）、目標とされた１０-2のビット誤り率において、２つだけのアダマール符号の同時使用を可能にする。非特許文献３に記載された線形符号空間干渉除去（ＳＩ＋ＣＩ）は、複数の短縮符号が用いられる場合、ＩＳＩが大きくなるので、（３符号までの）少しの改善が得られるだけである。
【００４６】
ウィナーフィルタによって、アダマール符号がスクランブルなしで用いられる場合に、６符号までサポートすることができる。スクランブルを含め、拡散符号長に整合させた場合には、さらに大きな利得を期待することができる。最善な実用的な場合として、拡張されたゴールド系列を用いることができ、これを用いて、所定のリンクマージンおよび誤り率目標内で符号の全数がサポートされる。
【００４７】
2008543141.tif 000007
【００４８】
2008543141.tif 000008
【００４９】
ＲＡＫＥの利点は、工数が、符号空間領域において使用されるリソースに、より直接的に対応していることである。
【００５０】
結果として、ＲＡＫＥ受信機は、符合の全数を用いて作動でき、ウィナーフィルタを用いて干渉を一緒に除去でき、これはＲＡＫＥ後の実効チャネルの２経路構成に沿って設計されている。とは言うものの、短縮スクランブル系列は、この増強された干渉除去のアプリケーションを可能にするために活用されるべきである。
【００５１】
パフォーマンスおよび複雑性の両面においてチップレベルのイコライザに匹敵し、干渉を除去するために時空間または符号空間信号処理のいずれを用いるかは好みの問題である。ＭＩＭＯ−ＯＦＤＭのような適応周波数空間技術によって、端末の複雑性を軽減するさらなる可能性が期待できる。
【００５２】
2008543141.tif 000009
【００５３】
2008543141.tif 000010
【００５４】
2008543141.tif 000011
【００５５】
2008543141.tif 000012
【００５６】
2008543141.tif 000013
【００５７】
2008543141.tif 000014
【００５８】
2008543141.tif 000015
【００５９】
以下の理想化された条件で、非特許文献１で研究されたＭＩＭＯ  ＲＡＫＥの典型的な形が得られる。
【００６０】
2008543141.tif 000016
【００６１】
2008543141.tif 000017
【００６２】
2008543141.tif 000018
【００６３】
数値結果は、２）の違反が直接ＣＩの原因なることを示している。このことは、拡散のためにバーカーまたはアダマール系列を用いてビット誤り率を比較したときに、単一の符号ですでに確認できる（非特許文献１）。
【００６４】
2008543141.tif 000019
【００６５】
2008543141.tif 000020
【００６６】
2008543141.tif 000021
【００６７】
2008543141.tif 000022
【００６８】
2008543141.tif 000023
【００６９】
2008543141.tif 000024
【図面の簡単な説明】
【００７０】
【図１】図１は、２つの基地局と１つのユーザ端末とを備えたシステム構成を示す。
【図２】図２は、無線ネットワークコントローラに接続された２つの基地局と１つのユーザ端末とを備えたシステム構成を示し、ユーザ端末は、２つのアンテナを含む。
【図３】図３は、１つの基地局と１つのユーザ端末とを備えたシステム構成を示す。
【図４】図４は、それぞれが少なくとも２つのアンテナを含む２つの基地局と１つのユーザ端末とを備えたシステム構成を示す。
【図５】図５は、マルチ符号時空間ＲＡＫＥとして構成された例示的な２段式ＭＩＭＯレイク受信機の第１段を示す。
【図６】図６は、マルチストリーム・ウィナーフィルタを含む例示的なＭＩＭＯレイク受信機の第２段を示す。
【図７】図７は、符号の数に依存する増強された干渉除去を有するＭＩＭＯレイクの性能解析を示す。
【図８】図８は、各種の干渉除去技術と可能なＷＣＤＭＡダウンリンク容量利得におけるそれらの影響との比較を示す。
【図１】
2008543141.tif 000025
【図２】
2008543141.tif 000026
【図３】
2008543141.tif 000027
【図４】
2008543141.tif 000028
【図５】
2008543141.tif 000029
【図６】
2008543141.tif 000030
【図７】
2008543141.tif 000031
【図８】
2008543141.tif 000032
【国際調査報告】
2008543141.tif 000033
2008543141.tif 000034